(57)【要約】【課題】カバーがケースに対して上方へスライドした後に前方に取外される電子機器用筐体において、ケースに対するカバーの上方への移動が規制された状態でカバーが上方に向けて強く押されたとしてもケースが破損することがない電子機器用筐体を提供する。【解決手段】前方に向けて開口する箱状のケース２５と、このケース２５の開口部２５ａに対向する開口部２６ａを有し、第１および第２の取付部２８，２９によって着脱可能に取付けられた箱状のカバー２６とを備える。第１の取付部２８は、上方に向けて突出する第１の突起４２と、この第１の突起４２が嵌合するカバー２６の第１の穴４１とを有する。第２の取付部２９は、ケース２５の開口部２５ａの両側部に突設された小突起８（第２の突起４５）と、カバー２６の両側部の上側のガイド板３３に設けられて小突起８が嵌合する第２の穴４４とを有する。小突起８と第２の穴４４は、第１の突起４２が第１の穴４１に嵌合した状態で互いに嵌合する位置に形成されている。【選択図】  図１
2018032679.tif 000002
【特許請求の範囲】
【請求項１】
前方に向けて開口する箱状に形成された電子機器用ケースと、
前記ケースの開口部に対向する開口部を有し、前記ケースの開口部に嵌合式の取付構造によって着脱可能に取付けられた箱状のカバーとを備え、
前記取付構造は、前記ケースと前記カバーの上端部どうしを接続する第１の取付部と、前記ケースと前記カバーの両側部どうしを接続する第２の取付部とを備え、
前記第１の取付部は、
前記ケースの上端部に設けられ、前記ケースの開口部より前方で上方に向けて突出する第１の突起と、
前記カバーの上端部に設けられ、前記第１の突起と嵌合する第１の穴とを有し、
前記第２の取付部は、
前記ケースの前記開口部の両側部にそれぞれ他側部に向けて突設された第２の突起と、
前記カバーの両側部に後方へ向けて突設され、前記ケースの開口部内に嵌合する一対のガイド板と、
前記一対のガイド板にそれぞれ設けられ、前記第２の突起と嵌合する第２の穴とを有し、
前記第２の突起と前記第２の穴は、前記第１の突起が前記第１の穴に嵌合した状態で互いに嵌合する位置に形成されている電子機器用筐体。
【請求項２】
請求項１記載の電子機器用筐体において、
前記一対のガイド板の後端部には、後方に向かうにしたがってガイド板どうしの間隔が次第に狭くなる傾斜面が形成されていることを特徴とする電子機器用筐体。
【請求項３】
請求項１または請求項２記載の電子機器用筐体において、
前記カバーの両側部であって前記第２の穴から前方に離間した位置に目印となるマークが設けられていることを特徴とする電子機器筐体。
【発明の詳細な説明】
【技術分野】
【０００１】
本発明は、箱状のケースと箱状のカバーとを備えた電子機器用筐体に関する。
【背景技術】
【０００２】
従来、電子機器の筐体は、操作部あるいは表示部が前面に露出するように形成されることが多い。この種の筐体としては、プリント基板や電子部品を収容する箱状のケースと、このケースの開口部を閉塞する箱状のカバーとによって前後方向に２分割可能に形成されたものがある。このような筐体において、カバーが筐体の前端部に配置される場合は、ケース内の部品のメンテナンスを前方から容易に行うことができるように、カバーがケースに対して前方から着脱される構成を採ることが望ましい。ここで、従来のこの種の電子機器用筐体を図１０によって説明する。
【０００３】
図１０に示す電子機器用筐体１は、この筐体１の前方に向けて開口する箱状のケース２と、このケース２に向けて開口する箱状のカバー３とを備えている。これらのケース２とカバー３は、それぞれプラスチック材料によって形成されている。ケース２の上端部には、上方に向けて突出する円柱状の柱状突起４と、ねじ孔５を有する取付片６とが設けられている。このねじ孔５は、取付片６に雌ねじ部材７を埋め込むことによって形成されている。取付片６は、図１３に示すように、ケース２にカバー３が取付けられた状態でカバー２６の上端部の下面に重なるように形成されている。
【０００４】
また、ケース２の開口部２ａの両側部には、複数の小突起８が設けられている。これらの小突起８は、ケース２の一側部と他側部とにおいて、それぞれ上下方向に並ぶ２箇所に設けられている。
ケース２の開口部２ａの下端部には、複数の貫通穴９が形成されている。
【０００５】
一方、カバー３の上端部であって後端部分（ケース２に近接する端部）には、第１および第２の貫通穴１１，１２が左右方向に並ぶ状態で穿設されている。第１の貫通穴１１は、カバー取付時に上述した柱状突起４が嵌合する。第２の貫通穴１２は、カバー取付時に固定用ねじが上方から挿通される。この固定用ねじは、上述した雌ねじ部材７のねじ孔５に螺着される。
【０００６】
カバー３の開口部３ａには、ケース２の両側部に沿ってケース２の開口部内に挿入される複数のガイド板１３が設けられている。図１０に示すカバー３には、は、一側部と他側部とにおいてそれぞれ上下方向に並ぶ４枚のガイド板１３が設けられている。これらのガイド板１３のうち上側の２枚のガイド板１３どうしの間と、下側の２枚のガイド板どうしの間には、それぞれ係合穴１４が形成されている。この係合穴１４は、上述した小突起８が係合するもので、ガイド板１３の後端（ケース２側となる先端）に開口する出入口部１４ａと、この出入口部１４ａより前側で上方に延びる係合部１４ｂとによって形成されている。
カバー３の開口部３ａの下端部には、下方に向けて突出する複数の突起１５が設けられている。これらの突起１５は、ケース２にカバー３が取付けられた状態においてケース２の貫通穴９に嵌合する。
【０００７】
このように構成された従来の電子機器用筐体１において、カバー３をケース２に取付けるためには、先ず、図１１に示すように、カバー３をケース２に対して上側にずらした状態でケース２の開口部２ａにカバー３の開口部３ａを接近させる。そして、カバー３のガイド板１３をケース２の開口部２ａ内に挿入し、図１２に示すように、ケース２の小突起８を係合穴１４の出入口部１４ａから係合部１４ｂに挿入する。次に、このようにケース２の開口部２ａとカバー３の開口部３ａとが重なる状態で、カバー３をケース２に対して下方にスライドさせる。
【０００８】
カバー３が下方にスライドすることにより、柱状突起４が第１の貫通穴１１に嵌合し、図１３に示すように、小突起８が係合穴１４の係合部１４ｂの上端部に入る。また、図示してはいないが、カバー３の下端部の突起１５がケース２の貫通穴９に嵌合する。この状態においては、柱状突起４と第１の貫通穴１１とからなる嵌合式の取付部と、小突起８と係合穴１４とからなる取付部と、下端部の貫通穴と突起とからなる取付部とによって、カバー３がケース２に取付けられ、カバー３をケース２から前方へ取外すことができなくなる。この状態で固定用ねじ１６を第２の貫通穴１２に通し、ねじ孔５にねじ込むことによって、カバー３がケース２に固定される。
一方、カバー３をケース２から取外すためには、固定用ねじ１６を外してカバー３をケース２に対して上方へ引き上げ、その後、カバー３をケース２に対して前方に引き出すことによって行うことができる。
【発明の概要】
【発明が解決しようとする課題】
【０００９】
図１０に示す電子機器用筐体１では、カバー３がケース２に対して上方に向けて押されたときにケース２の取付片６が破損されることがあるという問題があった。このように取付片６が破損される理由は、カバー３の上方への移動を規制する部材が取付片６のみで、カバー３に加えられた押圧力が取付片６に集中してしまうからである。
【００１０】
本発明はこのような問題を解消するためになされたもので、カバーがケースに対して上方へスライドした後に前方に取外される電子機器用筐体において、ケースに対するカバーの上方への移動が規制された状態でカバーが上方に向けて強く押されたとしてもケースが破損することがない電子機器用筐体を提供することを目的とする。
【課題を解決するための手段】
【００１１】
この目的を達成するために、本発明に係る電子機器用筐体は、前方に向けて開口する箱状に形成された電子機器用ケースと、前記ケースの開口部に対向する開口部を有し、前記ケースの開口部に嵌合式の取付構造によって着脱可能に取付けられた箱状のカバーとを備え、前記取付構造は、前記ケースと前記カバーの上端部どうしを接続する第１の取付部と、前記ケースと前記カバーの両側部どうしを接続する第２の取付部とを備え、前記第１の取付部は、前記ケースの上端部に設けられ、前記ケースの開口部より前方で上方に向けて突出する第１の突起と、前記カバーの上端部に設けられ、前記第１の突起と嵌合する第１の穴とを有し、前記第２の取付部は、前記ケースの前記開口部の両側部にそれぞれ他側部に向けて突設された第２の突起と、前記カバーの両側部に後方へ向けて突設され、前記ケースの開口部内に嵌合する一対のガイド板と、前記一対のガイド板にそれぞれ設けられ、前記第２の突起と嵌合する第２の穴とを有し、前記第２の突起と前記第２の穴は、前記第１の突起が前記第１の穴に嵌合した状態で互いに嵌合する位置に形成されているものである。
【００１２】
本発明は、前記電子機器用筐体において、前記一対のガイド板の後端部には、後方に向かうにしたがってガイド板どうしの間隔が次第に狭くなる傾斜面が形成されていてもよい。
【００１３】
本発明は、前記電子機器用筐体において、前記カバーの両側部であって前記第２の穴から前方に離間した位置に目印となるマークが設けられていてもよい。
【発明の効果】
【００１４】
本発明に係る電子機器用筐体において、ケースにカバーを取付けるためには、先ず、カバーがケースに対して上方にずれている状態でカバーのガイド板をケースの開口部内に挿入する。そして、この状態でカバーをケースに対して下方にスライドさせる。このようにカバーがスライドすることによって、カバーの第１の穴がケースの第１の突起に上方から嵌合するとともに、第２の穴が第２の突起に嵌合し、カバーがケースに取付けられる。この取付状態において、ケースに対するカバーの上方への移動は、第２の突起と第２の穴との嵌合部によって規制される。
【００１５】
このようにケースにカバーが取付けられた状態において、カバーがケースに対して上方へ押されると、このときの押圧力がカバーのガイド板から第２の突起に伝達される。すなわち、この押圧力は、ケースの両側部に分散される。
また、カバーが過度に大きな押圧力によってケースに対して上方に押された場合には、ケースの両側部とカバーの両側部とが撓んで第２の突起と第２の穴との嵌合状態が解除される。このため、このように過大な押圧力が加えたとしても、カバーがケースに対して上側に外れるから、ケースが破損することはない。
【００１６】
したがって、本発明によれば、カバーをケースに対して上方に押す押圧力が１箇所に集中する従来の電子機器用筐体とは異なり、この押圧力を２箇所に分散させることができ、破損防止を図ることができる。この結果、使用時にカバーの上方への移動が規制されてカバーが簡単に外れることがない構成を採りながら、カバーが上方に向けて強く押されたとしてもケースが破損することがない電子機器用筐体を提供することができる。
【図面の簡単な説明】
【００１７】
【図１】本発明に係る電子機器用筐体を複数備えた電子装置の斜視図である。
【図２】本発明に係る電子機器用筐体のケースとカバーとを示す斜視図である。
【図３】要部の縦断面図である。図３は、ケースにカバーが取付けられた状態を示す。
【図４】第１の取付部の断面図である。
【図５】要部の縦断面図である。図５は、ケースにカバーを接近させている途中の状態を示す。
【図６】ケースの開口部とカバーの横断面図である。図６は、小突起と上部ガイド板とが接触したときの状態を示す。
【図７】要部の縦断面図である。図７は、ケースの開口部とカバーの開口部とが互いに当接している状態を示す。
【図８】ケースの開口部とカバーの横断面図である。図８は、図７におけるVIII-VIII線断面図である。
【図９】ケースの開口部とカバーの横断面図である。図９は、図３におけるIX-IX線断面図である。
【図１０】従来の電子機器用筐体のケースとカバーの斜視図である。
【図１１】従来の電子機器用筐体の一部の縦断面図である。図１１は、ケースにカバーを接近させている途中の状態を示す。
【図１２】従来の電子機器用筐体の一部の縦断面図である。図１２は、ケースの開口部とカバーの開口部とが互いに当接している状態を示す。
【図１３】従来の電子機器用筐体の一部の縦断面図である。図１３は、カバーがケースに対して下側にスライドした状態を示す。
【発明を実施するための形態】
【００１８】
以下、本発明に係る電子機器用筐体の一実施の形態を図１〜図９によって詳細に説明する。これらの図において、図１０〜図１３によって説明したものと同一もしくは同等の部材については、同一符号を付し詳細な説明を適宜省略する。
【００１９】
図１に示す電子装置２１は、水平方向に並ぶ複数の電子機器としてのモジュール２２と、これらのモジュール２２を着脱可能に支持する板状のベースユニット２３とを備えている。モジュール２２は、本発明に係る電子機器用筐体２４（図２参照）を用いて構成されている。
電子機器用筐体２４は、図２に示すように、電子機器用ケース２５とカバー２６とによって構成されている。
【００２０】
これらのケース２５とカバー２６は、それぞれプラスチック材料によって箱状に形成されている。カバー２６は、詳細は後述するが、嵌合式の取付構造２７によってケース２５に着脱可能に取付けられている。この実施の形態による嵌合式の取付構造２７は、ケース２５とカバー２６の上端部どうしを接続する第１の取付部２８と、ケース２５とカバー２６の両側部どうしを接続する第２の取付部２９と、ケース２５とカバー２６の下端部どうしを接続する第３の取付部３０とによって構成されている。
【００２１】
ケース２５は、図示していないプリント基板や電子部品などを収容した状態で上述したベースユニット２３に取付けられるもので、電子装置２１の前方に向けて開口する箱状に形成されている。このケース２５の後端部には、図示してはいないが、ベースユニット２３に接続されるコネクタや、固定用ボルト（図示せず）の係合部などが設けられている。
この実施の形態によるケース２５は、図１０に示した従来のものとは上端部の一部分が異なるだけで、その他の構成が同一となるように形成されている。この実施の形態によるケース２５においては、取付片６の雌ねじ部材７にねじ込まれる部品が従来のケース２とは異なっている。この実施の形態によるケース２５の取付片６には、突起部材３１がねじ込まれている。
【００２２】
取付片６は、図３に示すように、ケース２にカバー３が取付けられた状態でカバー２６の上端部の下面に重なるようにケース２５の前端部に一体に形成されている。雌ねじ部材７は、インサート成形によって取付片６に埋設されている。
突起部材３１は、頭部３１ａが取付片６の上に位置する状態で雌ねじ部材７に螺着されている。頭部３１ａは、ケース２５の上端部に設けられている柱状突起４と同様に、円柱状に形成され、ケース２５の開口部２５ａより前方で上方に向けて突出している。これらの突起部材３１の頭部３１ａと柱状突起４は、上述した第１の取付部２８の一部を構成するものである。
【００２３】
この実施の形態によるケース２５の両側部の上下２箇所には小突起８がそれぞれ設けられている。また、ケース２５の下端部には貫通穴９が穿設されている。この実施の形態による小突起８は、角柱状に形成されており、ケース２５の両側部にそれぞれ他側部に向けて突出する状態に設けられている。
【００２４】
ケース２５の両側部であって小突起８の周囲には、凹部３２が形成されている。この凹部３２は、小突起８毎に設けられており、後述するカバー２６の上側のガイド板３３および下側のガイド板１３を収容可能な形状に形成されている。また、ケース２５の両側部の外面であって上下方向の中央部には、カバー２６の後述する中央のガイド板３４を収容するための凹部３５が形成されている。
【００２５】
カバー２６は、ケース２５の開口部２５ａを閉塞するためのもので、ケース２５に向けて（後方に向けて）開口する箱状に形成されている。
カバー２６の上端部には、上述した第１の取付部２８の一部を構成する二つの第１の穴４１が穿設されている。これらの第１の穴４１は、カバー２６の上端部を上下方向に貫通しており、カバー２６の前後方向において同一位置であって、左右方向に所定の間隔をおいて並ぶ位置に設けられている。これらの第１の穴４１は、ケース２５にカバー２６が取付けられた状態において、図３および図４に示すように、ケース２５の柱状突起４と突起部材３１の頭部３１ａとが嵌合する。すなわち、嵌合式の取付構造２７の第１の取付部２８は、図４に示すように、ケース２５の柱状突起４と突起部材３１の頭部３１ａとからなる第１の突起４２と、カバー２６の二つの第２の穴４１とによって構成されている。
【００２６】
カバー２６の両側部には、図１に示すように、上側のガイド板３３と、中央のガイド板３４と、下側のガイド板１３とがこの順序で上から下に並ぶとともに、それぞれ左右方向に対をなすように設けられている。これらの上側のガイド板３３と、中央のガイド板３４と、下側のガイド板１３は、上下方向と前後方向とに延びる板状に形成されており、カバー２６の両側部に後方へ向けて突設されている。
【００２７】
上側のガイド板３３は、ケース２５にカバー２６が取付けられた状態で、ケース２５の上側の凹部３２に嵌合する。中央のガイド板３４は、ケース２５にカバー２６が取付けられた状態で、ケース２５の外面の凹部３５に嵌合する。下側のガイド板１３は、ケース２５にカバー２６が取付けられた状態で、ケース２５の下側の凹部３２に嵌合する。
上側のガイド板３３と下側のガイド板１３の後端部（突出側端部）には、後方に向かうにしたがって左右のガイド板どうしの間隔が次第に狭くなる傾斜面４３が形成されている。
【００２８】
左右一対の上側のガイド板３３には、第２の穴４４がそれぞれ穿設されている。この第２の穴４４は、ケース２５の小突起８が嵌合可能な形状に形成されている。また、この第２の穴４４は、図３および図９に示すように、ケース２５にカバー２６が取付けられた状態において、小突起８と嵌合する位置に形成されている。この第２の穴４４は、上述した嵌合式の取付構造２７の第２の取付部２９をケース２５の小突起８と協働して構成するものである。すなわち、第２の取付部２９は、図９に示すように、ケース２５の上側に位置する左右一対の小突起８からなる第２の突起４５と、カバー２６の二つの第２の穴４４とによって構成されている。
【００２９】
下側のガイド板１３は、図１０に示した従来のカバー２６のガイド板１３と同様に、小突起８が係合する係合穴１４が形成されている。
カバー２６の後端部であって下端部には、下方に向けて突出する突起１５が設けられている。この突起１５は、ケース２５にカバー２６が取付けられた状態でケース２５の下端部の貫通穴９に嵌合する。上述した第３の取付部３０は、これらのケース２５の貫通穴９とカバー２６の突起１５とによって構成されている。
【００３０】
カバー２６の両側部には図１に示すように、マーク４６が設けられている。このマーク４６は、カバー２６をケース２５から取外すときに作業者が指で押す位置を示すもので、カバー２６の両側部であって第２の穴４４から前方に離間した位置に配設されている。
【００３１】
このように構成された電子機器用筐体２４を組み立てるためには、先ず、図５に示すように、カバー２６をケース２５に対して上方にずらした状態でカバー２６の開口部２６ａをケース２５の開口部２５ａに接近させる。そして、カバー２６の上側のガイド板３３と下側のガイド板１３をケース２５の開口部２５ａ内に挿入する。このとき、上側のガイド板３３の傾斜面４３が上側の小突起８に沿って滑ることにより上側のガイド板３３がケース２５内に入る。
【００３２】
この状態でケース２５をカバー２６側に押すことにより、傾斜面４３が小突起８によって押され、図６に示すように、上側のガイド板３３を含めてカバー２６の両側部がカバー内側に向けて撓む。すなわち、上側のガイド板３３が小突起８よりケース内側に導かれる。このときには、下側の小突起８が係合穴１４の出入口部１４ａ内に入る。
そして、この状態でさらにカバー２６をケース２５側に押すことによって、図７および図８に示すように、カバー２６の両側部がさらに撓み、カバー２６の開口部２６ａがケース２５の開口部２５ａに当接する。このときは、ケース２５の下側の小突起８がカバー２６の係合穴１４の係合部１４ｂ内に挿入される。
【００３３】
次に、この状態でカバー２６をケース２５に対して下方にスライドさせる。カバー２６が下方にスライドすることにより、図３および図４に示すように、カバー２６の第１の穴４１がケース２５の柱状突起４と突起部材３１の頭部３１ａとに嵌合する。また、これとともに、図９に示すように、上側のガイド板３３の第２の穴４４が上側の小突起８に嵌合する。さらに、下側の小突起８が係合穴１４の上端部に位置付けられるとともに、カバー２６の下端部の突起１５がケース２５の下端部の貫通穴９に嵌合する。
【００３４】
このようにケース２５とカバー２６とが上端部の第１の取付部２８と、両側部の第２の取付部２９と、下端部の第３の取付部３０とによって接続されることにより、カバー２６がケース２５に前後方向と上下方向とにおいて簡単には取外すことができないように取付けられる。
一方、カバー２６をケース２５から取外すためには、先ず、カバー２６のマーク４６を押し、カバー２６の両側部をカバー内側に撓ませ、第２の穴４４と上側の小突起８との嵌合状態を解除する。
【００３５】
そして、第２の穴４４から上側の小突起８が出た状態でカバー２６を上方にスライドさせる。このようにカバー２６がスライドすることにより、ケース２５の柱状突起４と突起部材３１の頭部３１ａとがカバー２６の第１の穴４１から抜けるとともに、ケース２５の下側の小突起８がカバー２６の係合穴の下部に位置するようになる。また、カバー２６の下端部の突起１５がケース２５の貫通穴９から上方に出る。この状態でカバー２６をケース２５から前方に引くことによって、カバー２６がケース２５から取外される。
【００３６】
したがって、この実施の形態による電子機器用筐体２４によれば、第１〜第３の取付部２８〜３０によってカバー２６がケース２５に取付けられた取付状態において、ケース２５に対するカバー２６の上方への移動は、小突起８（第２の突起）と第２の穴４４との嵌合部によって規制される。
この取付状態で、カバー２６がケース２５に対して上方へ押されると、このときの押圧力がカバー２６の上側のガイド板３３から上側の小突起８に伝達される。すなわち、この押圧力は、ケース２５の両側部に分散されることになる。
【００３７】
また、カバー２６が過度に大きな押圧力によってケース２５に対して上方に押された場合には、ケース２５の両側部とカバー２６の両側部とが撓んで上側の小突起８と第２の穴４４との嵌合状態が解除される。このため、このように過大な押圧力が加えたとしても、カバー２６がケース２５に対して上側に外れるから、ケース２５が破損することはない。
【００３８】
したがって、この実施の形態によれば、カバー２６をケース２５に対して上方に押す押圧力が１箇所（押圧片）に集中する従来の電子機器用筐体２４とは異なり、この押圧力が２箇所に分散されるから、破損防止を図ることができる。この結果、使用時にカバー２６の上方への移動が規制されてカバー２６が簡単に外れることを防ぐ構成を採りながら、カバー２６が上方に向けて強く押されたとしてもケース２５が破損することがない電子機器用筐体を提供することができる。
【００３９】
この実施の形態による一対の上側のガイド板３３の後端部には、後方に向かうにしたがってガイド板３３どうしの間隔が次第に狭くなる傾斜面４３が形成されている。このため、ガイド板３３をケース２５の開口部２５ａ内に挿入するときに傾斜面４３が上側の小突起８に沿って滑り、上側のガイド板３３が小突起８よりケース内側に導かれる。したがって、この実施の形態によれば、カバー２６をケース２５に取付ける作業を容易に行うことが可能な電子機器用筐体を提供できる。
【００４０】
この実施の形態においては、カバー２６の両側部であって第２の穴４４から前方に離間した位置に目印となるマーク４６が設けられている。
このため、このマーク４６を作業者が指で押すことにより上側のガイド板３３がケース内側に撓み、小突起８と第２の穴４４との嵌合状態を人為的に解除することができる。このようにマーク４６を指で押した状態でカバー２６をケース２５に対して上側にスライドさせることによって、柱状突起４および突起部材３１の頭部３１ａと第１の穴４１との嵌合状態と、下側の小突起８と係合穴１４との係合状態と、ケース２５の下端部の貫通穴９とカバー２６の突起１５との嵌合状態とが解除され、カバー２６をケース２５から前方に取外すことが可能になる。
したがって、この実施の形態によれば、上側の小突起８と第２の穴４４との嵌合状態を解除するときに押す場所を間違えることがないから、簡単にカバー２６をケース２５から取外すことができる。
【００４１】
このようにカバー２６のマーク４６を押さない限りはカバー２６をケース２５から外すことができないから、カバー２６の両側部を単純に手で把持してカバー２６を前方に引いただけでは、カバー２６をケース２５から外すことはできない。このため、モジュール２２をベースユニット２３から取外す際にカバー２６だけ外れることを防ぐことができる。
また、カバー２６をケース２５に対して着脱させるにあたってカバー２６を上下方向にスライドさせる着脱方法は、図１０に示す従来の電子機器用筐体１と同じである。このため、この実施の形態による電子機器筐体２４においては、作業者が混乱することなく、正しくカバー２６の着脱を行うことが可能になる。
【００４２】
この実施の形態によるケース２５は、従来の電子機器用筐体１のケース２とは取付片６に取付けられる部品が異なるだけで、その他は同一の構造のものである。このため、本発明は、従来のケース２を流用してコストアップを低く抑えながら実施することができる。
【符号の説明】
【００４３】
４…柱状突起（第１の突起）、８…上側の小突起（第２の突起）、２４…電子機器筐体、２５…ケース、２５ａ，２６ａ…開口部、２６…カバー、２７…嵌合式の取付構造、２８…第１の取付部、２９…第２の取付部、３１…突起部材、３１ａ…頭部（第１の突起）、４１…第１の穴、４４…第２の穴、４３…傾斜面、４６…マーク。
【図１】
2018032679.tif 000003
【図２】
2018032679.tif 000004
【図３】
2018032679.tif 000005
【図４】
2018032679.tif 000006
【図５】
2018032679.tif 000007
【図６】
2018032679.tif 000008
【図７】
2018032679.tif 000009
【図８】
2018032679.tif 000010
【図９】
2018032679.tif 000011
【図１０】
2018032679.tif 000012
【図１１】
2018032679.tif 000013
【図１２】
2018032679.tif 000014
【図１３】
2018032679.tif 000015